(57)【特許請求の範囲】
【請求項１】
枠体に対して扉を開閉自在に支持するための蝶番であって、前記枠体に固定される固定羽根板と、該固定羽根板に嵌着された支軸と、該支軸に回動自在に挿入され前記扉に固定された可動羽根板と、前記固定羽根板と前記可動羽根板との間隙に配設された開度制限リングとを有し、前記固定羽根板は円筒状の固定筒部と、該固定筒部の周面から突設した略平板状からなる羽根部とを有し、前記可動羽根板は円筒状で前記支軸が挿入可能な挿入筒部と、該挿入筒部の周面から突設した略平板状からなる羽根部とを有し、前記開度制限リングは一方の前記羽根部と嵌合し、他方の前記羽根部の回動を制限することを特徴とする開度制限蝶番。
【請求項２】
前記開度制限リングは、前記固定筒部及び前記挿入筒部の外径よりもやや大きい内径の円筒形状を成し、軸方向の一方の先端部より軸方向に沿った向きに刻設され前記一方の羽根部と嵌合する嵌合溝部と、軸方向の他の先端部より軸方向に沿って刻設され前記他方の羽根部に当接し羽根部の回転角度を所用角度に制限する角度制限スリット部と、前記嵌合溝部と前記角度制限スリット部とは連通せず、前記嵌合溝部と前記角度制限スリット部との間隙に前記羽根部に係止される係止リブ部とを有することを特徴とする請求項１に記載の開度制限蝶番。
【請求項３】
前記開度制限リングは、外周面の所要位置から内周面へ貫通した雌ねじ部と、前記雌ねじ部に螺合され先端部が前記固定筒部に当接可能となる雄ねじとを有することを特徴とする請求項１または２に記載の開度制限蝶番。
【請求項４】
前記羽根部の前記制限スリット部が当接する所要位置に、緩衝材が付設されていることを特徴とする請求項１から請求項３のいずれか１項に記載の開度制限蝶番。
【請求項５】
請求項１から請求項４のいずれか１項に記載の開度制限蝶番に使用する開度制限リング。
【発明の詳細な説明】
【技術分野】
【０００１】
本発明は、蝶番及び建具に関し、詳しくは、扉の開扉角度を所定角度に制限できる蝶番及びその蝶番に装着する金具に関するものである。
【背景技術】
【０００２】
従来から、住宅などの建物に扉を取り付ける場合には、壁に枠体を取り付け、この枠体に扉用の蝶番を介して扉を開閉自在に取り付けている。この場合、扉が制限なく開扉されると、間取りの関係で、他のドアや、室内に設置されている機材や物品の配置によっては、扉自体や取手などが壁や他の物品などにぶつかり、破損してしまう問題があった。
【０００３】
このような破損の問題に対し、従来は、蝶番とは別にストッパー金物を、床面や壁、若しくは枠体などに突設し、扉が所定角度まで開かれた時にストッパーが扉若しくは、壁のいずれかに当接して、扉がそれ以上開扉し無いように規制していた。
【０００４】
しかし、上述の様な従来のストッパーでは、扉を蝶番を介して枠体などに取り付けた後に、床面や壁、若しくは枠体などに突設する作業が必要とされる。また、いずれかに突設することから、見栄えが悪い、さらに、床面に突設すると歩行などの邪魔になる問題点があった。
【０００５】
そこで、特許文献１には、扉取付け以外にストッパー取り付け作業をすることなく、扉を所定角度で規制することができるドア用ヒンジ（蝶番）が開示されている。
【先行技術文献】
【特許文献】
【０００６】
【特許文献１】実開平５−３５９８８号公報
【発明の概要】
【発明が解決しようとする課題】
【０００７】
しかし、特許文献１に記載の蝶番は、可動片にストッパー片を突設した構成なので、見栄えは従来のストッパー同様あまり良くなく、また、一度設置すると扉が開扉可能な所定角度の変更が出来ないという問題があった。
【０００８】
本発明は、上記課題を鑑みてなされたものであり、その具体的目的は、ストッパーなど他の邪魔になる物がなく、蝶番と一体として使用でき、開扉可能な所定の制限角度が容易に設定できる他、変更も容易な開度制限蝶番及びその部品を提供することを目的とする。
【課題を解決するための手段】
【０００９】
本発明は、上記目的を達成するために案出されたものである。詳述するならば、枠体に対して扉を開閉自在に支持するための蝶番であって、前記枠体に固定される固定羽根板と、該固定羽根板に嵌着された支軸と、該支軸に回動自在に挿入され前記扉に固定された可動羽根板と、前記固定羽根板と前記可動羽根板との間隙に配設され前記支軸に挿入された開度制限リングとを有し、前記固定羽根板は円筒状の固定筒部と、該固定筒部の周面から突設した略平板状からなる羽根部とを有し、前記可動羽根板は円筒状で前記支軸に着脱可能な挿入筒部と、該挿入筒部の周面から突設した略平板状からなる羽根部とを有し、前記開度制限リングは一方の前記羽根部と嵌合する嵌合溝部と、他方の前記羽根部の回動を制限する角度制限スリット部とから成る構成が含まれる。
【００１０】
本発明の開度制限蝶番は、開度制限リングを扉用の蝶番と一体として使用することで扉の開扉可能な制限角度を容易に設定でき、また、変更も容易に行える効果がある。さらに、蝶番以外にストッパーなど他の金具を取り付ける必要がなく、取付け作業の工数及び金具の部品費を削減することができると共に、蝶番以外の部品が突出しないので、外観上に優位であり邪魔にもならない効果が得られる。
【００１１】
本発明には、前記開度制限リングが、前記固定筒部及び前記挿入筒部の外径よりもやや大きい内径の円筒形状を成し、軸方向の一方の先端部より軸方向に沿った向きに刻設され、前記一方の羽根部と嵌合する嵌合溝部と、軸方向の他の先端部より軸方向に沿って刻設され前記他方の羽根部に当接し羽根部の回転角度を所用角度に制限する角度制限スリット部と、前記嵌合溝部と前記角度制限スリット部とは連通せず、前記嵌合溝部と前記角度制限スリット部との間隙に形成された前記羽根部に係止される係止リブ部とから成り、前記係止リブ部の厚みが、前記固定羽根板と前記可動羽根板との間隙よりやや薄い構成が含まれる。
【００１２】
本発明の開度制限蝶番は、角度制限スリット部の制限角度を選定するだけで、扉の開く角度を自由に設定でき、既に本願蝶番を使用中のものであっても、開度制限リングを違う制限角度のものに差替えるだけで、扉が開く最大角度を変更することが可能となる効果がある。
【００１３】
また、本発明には、前記開度制限リングが、外周面の所要位置から内周面へ貫通した雌ねじ部と、前記雌ねじ部に螺合され先端部が前記固定筒部に当接可能となる雄ねじとを有する構成が含まれる。
【００１４】
本発明の開度制限蝶番は、開度制限リングをネジで固定筒部に固定できるので、開扉した際の羽根部と嵌合溝部との当接振動を減少でき、其々の摩耗を抑制できる効果がある。
【００１５】
さらに、本発明には、前記羽根部の前記角度制限スリット部が当接する所要位置に、合成ゴム素材などから成る、緩衝材が付設されている構成が含まれる。
【００１６】
本発明の開度制限蝶番は、羽根部の所要位置に緩衝材が付設されていることで、羽根部と角度制限スリット部とが当接する際の衝撃緩和及び消音効果と共に、其々の摩耗を抑制できる効果がある。
【００１７】
本発明には、前記開度制限蝶番に使用する開度制限リングであって、既存の所謂差込み蝶番や対震蝶番に配設可能となるように、その内径寸法や、前記係止リブ部の厚み、さらに嵌合溝部の幅で形成されている構成が含まれる。
【００１８】
本発明の開度制限リングは、既存の所謂差込み蝶番や対震蝶番に配設可能であるので、本発明の開度制限リングを設置済みの蝶番に配設するだけで、開度制限蝶番と同じ効果が得られる。
【発明の効果】
【００１９】
本発明の開度制限蝶番及び開度制限リングは、蝶番以外の金具を蝶番と別に設置することがないので邪魔になる物がなく、扉の開扉可能な所定角度が容易に制限できるばかりでなく、一度設定した所定角度の変更も容易となる効果がある。
【図面の簡単な説明】
【００２０】
【図１】本実施形態に係る開度制限蝶番を示す斜視図である。
【図２】図１に係る開度制限蝶番を装着した建具を示す正面図である。
【図３】図２に示すＸ−Ｘ線における扉を閉じた状態を示す部分拡大断面図である。
【図４】図２に示すＸ−Ｘ線における扉を開いた状態を示す部分拡大断面図である。
【図５】本実施形態に係る開度制限リングを示す斜視図である。
【図６】図５に係る開度制限リングの角度制限スリット部の角度違いの例を示す底面図である。
【図７】他の実施形態に係る開度制限蝶番を示す斜視図である。
【図８】図７に係る開度制限蝶番を示す分解斜視図である。
【図９】図７に係る開度制限蝶番を示す正面図である。
【発明を実施するための形態】
【００２１】
以下、本発明の実施形態を図面を参照しながら説明する。ただし、図面は模式的に図示しており、実際の寸法や比率等とは必ずしも一致しない。また、図面相互間において、お互いの寸法の関係や比率が異なる部分が含まれることがある。
尚、本実施形態において、開度制限蝶番を扉及び枠体に設置した状態で、支軸の軸方向に沿った方向で上下方向を表すものとする。
【００２２】
（第１実施形態）
図２に示されるように、本実施形態に係る開度制限蝶番１は、例えば、室内において、部屋を仕切る壁に設けた出入口に設置される。その出入口は、壁に取付けられた枠体５０と、出入口を開閉する扉６０と、枠体５０に扉６０を開閉自在に支持する開度制限蝶番１とで構成されている。
【００２３】
また、図１に示されるように、本実施形態に係る開度制限蝶番１は、枠体５０に固定される固定羽根板２と、固定羽根板２に嵌着された支軸３と、支軸３に回動自在に挿入され扉６０に固定された可動羽根板４と、固定羽根板２と可動羽根板４との間隙に配設された開度制限リング５とで構成されている。
【００２４】
さらに、固定羽根板２は円筒状の固定筒部２Ｂと、固定筒部２Ｂの周面から突設した略平板状からなる羽根部２Ａと、固定筒部２Ｂの下端部を閉鎖する円盤状の蓋部２Ｃとで構成されている。羽根部２Ａは、枠体５０に固定するための貫通孔であるビス穴２Ｄを有し、ビス穴２Ｄは、皿ビスに適応するため片面をテーパー形状に形成されている。
【００２５】
可動羽根板４は円筒状で支軸３に着脱可能な挿入筒部４Ｂと、挿入筒部４Ｂの周面から突設した略平板状からなる羽根部４Ａと、挿入筒部４Ｂの上端部を閉鎖する円盤状の蓋部４Ｃとで構成されている。羽根部４Ａは、扉６０に固定するための貫通孔であるビス穴４Ｄを有し、ビス穴４Ｄは、皿ビスに適応するため片面をテーパー形状に形成されている。
【００２６】
図１、図５及び図６に示すように開度制限リング５は、円筒形状の本体部５Ｃと、一方の羽根部２Ａと嵌合する嵌合溝部５Ａと、他方の羽根部４Ａの回動を制限する角度制限スリット部５Ｂと、本体部５Ｃに刻設された雌ねじ部５Ｄとで構成されている。
【００２７】
また、本体部５Ｃは、固定筒部２Ｂ及び挿入筒部４Ｂの外径よりもやや大きい内径の略円筒形状に形成され、嵌合溝部５Ａは、本体部５Ｃの軸方向の一方の先端部より軸方向に沿った向きに刻設され、一方の羽根部２Ａと嵌合可能な厚さに形成されている。
【００２８】
角度制限スリット部５Ｂは、嵌合溝部５Ａと違う他端部側より軸方向に沿って刻設され、底面視において制限角度を例えば、θ１、θ２、θ３のいずれかの角度に羽根部４Ａの厚みを加えた扇状の間隔が形成されている。さらに、角度制限スリット部５Ｂを形成する一対の制限壁５Ｅ，５Ｅは、羽根部４Ａに当接し羽根部４Ａの回転角度を制限角度であるθ１、θ２、θ３のいずれかに制限することができる。ここで、図６はθ１、θ２、θ３を便宜上重ねて表記して例示しているが、実際にはθ１、θ２、θ３など角度の違う別の開度制限リング５を設定形成することになる。
【００２９】
羽根部４Ａの制限壁５Ｅが当接する所要位置に、合成ゴムなどから成る、緩衝材４Ｅが付設されている。緩衝材４Ｅは、羽根部４Ａと制限壁５Ｅとが当接する際の衝撃緩和と消音効果と共に、其々の摩耗を抑制できる効果がある。
【００３０】
なお、開度制限リング５は、角度制限スリット部５Ｂと、嵌合溝部５Ａとが連通しないことから、嵌合溝部５Ａと角度制限スリット部５Ｂとの間隙に形成された係止リブ部５Ｆを有する。その、係止リブ部５Ｆの上下方向の厚さは、固定羽根板２と可動羽根板４との間隙よりやや薄い構成とすれば良い。
【００３１】
開度制限リング５は、外周面の所要位置から内周面へ貫通した雌ねじ部５Ｄと、雌ねじ部５Ｄに螺合され先端部が固定筒部２Ｂに当接可能となる雄ねじ６を有する。その、雄ねじ６で固定すると、固定羽根板２に対する開度制限リング５の固定性能が向上し、扉６０を全開角度に開扉した際の羽根部２Ａと嵌合溝部５Ａとの当接振動を減少することで、其々の摩耗を抑制できる効果がある。
【００３２】
図３及び図４は、図２に示した建具の開度制限蝶番１及びその周辺を示す部分拡大断面図であって、図３は扉６０を閉じた状態を示しており、図４は扉６０を全開角度まで開扉した状態で羽根部４Ａが制限壁５Ｅに当接している。ここで、θ１を９０度に設定してあることから扉６０も９０度開いた時点で規制されている。また、制限壁５Ｅの制限角度を変更した開度制限リング５と差し換えると、扉６０の規制される角度も容易に変更できる効果がある。
【００３３】
（第２実施形態）
図７、図８及び図９に示すのは、所謂対震蝶番１００に使用する場合の実施形態である。上記実施形態に記載した通常の差込蝶番の場合と違い、開度制限リング５の向きを、上下逆向きに挿入すると、通常時の対震蝶番１００は支軸３の根元部分が露出している部分Ｔの、多くを開度制限リング５でカバーでき、ほこり等の外部要因から保護できる効果がある。
【００３４】
ここで、開度制限リング５を既存の対震蝶番１００に配設可能となるように設定するには、その内径寸法や嵌合溝部５Ａの幅は使用する対震蝶番１００に合わせて設定すれば良いが、嵌合溝部５Ａの軸方向の長さは、支軸３の根元部分が露出している部分Ｔよりも長く設定し、係止リブ部５Ｆの上下方向の厚さは、対震蝶番１００が軸方向に縮みきった状態の羽根部２Ａと羽根部４Ａとの間隙よりやや薄い構成とすれば良い。
【００３５】
本実施形態に係る開度制限蝶番１及び、その部品は、周知の方法により形成することができる。例えば、ステンレス合金を素材として使用し、プレス加工、切削加工などで形成すれば良く、開度制限蝶番に付設した緩衝材は、例えば、合成ゴム、特にニトリルゴムやウレタンゴムまたはシリコーンゴムなどの素材を採用すれば良い。
【００３６】
以上のように、本発明を実施するための最良の構成、方法等は、上記記載で開示されているが、本発明は、これに限定されるものではない。
例えば、上記実施形態では、制限角度を例えば、θ１、θ２、θ３とし其々９０度、１２０度、１８０度に設定した図面等で説明したが、その構成に限定するものではなく、許容範囲内で任意の角度に設定することができる。
【００３７】
また、上記実施形態では、開度制限蝶番のみで扉の開度制限をすることとして説明したが、その構成に限定するものではなく、開扉中に強風や外力が加わった時に対応する為に、全開角度までの開扉動作中に開扉速度を遅らせるバックチェック機能を有するドアクローザー（図示せず）などを併用して使用することとしても良い。
【符号の説明】
【００３８】
１    開度制限蝶番
２    固定羽根板
２Ａ，４Ａ    羽根部
２Ｂ    固定筒部
２Ｃ，４Ｃ    蓋部
２Ｄ，４Ｄ    ビス穴
３    支軸
４    可動羽根板
４Ｂ    挿入筒部
４Ｅ    緩衝材
５    開度制限リング
５Ａ    嵌合溝部
５Ｂ    角度制限スリット部
５Ｃ    本体部
５Ｄ    雌ねじ部
５Ｅ    制限壁
５Ｆ    係止リブ部
６    雄ねじ
１００    対震蝶番
【要約】      （修正有）【課題】ストッパーなど他の邪魔になる物がなく、蝶番と一体として使用でき、開扉可能な所定の制限角度が容易に設定できる他、変更も容易な開度制限蝶番及びその部品を提供する。【解決手段】枠体に対して扉を開閉自在に支持するための蝶番１であって、枠体に固定される固定羽根板２と、固定羽根板２に嵌着された支軸３と、支軸３に回動自在に挿入され扉に固定された可動羽根板４と、固定羽根板２と可動羽根板４との間隙に配設された開度制限リングとを有し、固定羽根板２は円筒状の固定筒部２Ｂと、固定筒部２Ｂの周面から突設した略平板状からなる羽根部２Ａとを有し、可動羽根板４は円筒状で支軸３が挿入可能な挿入筒部４Ｂと、挿入筒部４Ｂの周面から突設した略平板状からなる羽根部４Ａとを有し、開度制限リングは一方の羽根部２Ａと嵌合し、他方の羽根部４Ａの回動を制限する。【選択図】図１【図１】
0006647513.tif 000002
【図２】
0006647513.tif 000003
【図３】
0006647513.tif 000004
【図４】
0006647513.tif 000005
【図５】
0006647513.tif 000006
【図６】
0006647513.tif 000007
【図７】
0006647513.tif 000008
【図８】
0006647513.tif 000009
【図９】
0006647513.tif 000010